【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
複数の画像データを入力し、当該画像データのうち、少なくとも１つを複数の小領域に分割する分割工程と、
上記小領域を他の画像データと類似するように変換したときの変換パラメータを抽出するパラメータ抽出工程と、
上記変換パラメータに基づいて求めた類似の度合いを示す値を集計する集計工程と、
当該集計の結果に基づき、上記複数の画像データ間の類似性を評価する類似性評価工程と
を有することを特徴とする信号処理方法。
【請求項２】
上記複数の画像データ間の類似する領域を抽出する類似領域抽出工程をさらに有することを特徴とする請求項１記載の信号処理方法。
【請求項３】
上記類似領域抽出工程では、上記集計の結果が最大となるところにおける上記変換パラメータと略等しい変換パラメータの抽出された上記小領域が抽出されることを特徴とする請求項２記載の信号処理方法。
【請求項４】
相関法を用いて上記変換パラメータを求めることを特徴とする請求項１記載の信号処理方法。
【請求項５】
上記所定の変換は、シフト変換及び／又は輝度値の変更であり、
上記変換パラメータは、上記小領域と上記他の画像データとの相関値が最大となるところにおける位置差及び／又は輝度比であることを特徴とする請求項４記載の信号処理方法。
【請求項６】
上記集計工程では、上記変換パラメータを軸とする空間に、上記複数の画像データ間の類似の度合いを示す値が集計されることを特徴とする請求項１記載の信号処理方法。
【請求項７】
上記集計工程における上記類似の度合いを示す値は、上記複数の画像データ間の類似度に比例した値であることを特徴する請求項１記載の信号処理方法。
【請求項８】
上記類似度として、上記複数の画像データ間の相関値又は当該相関値の自乗を用いることを特徴する請求項７記載の信号処理方法。
【請求項９】
上記複数の画像データは、一の画像データの異なる部分画像データであることを特徴とする請求項１記載の信号処理方法。
【請求項１０】
記録手段に記録されている画像データを再生する再生工程と、
再生されている上記画像データの中から所望の画像データを指定する指定工程と、
上記所望の画像データを複数の小領域に分割する分割工程と、
上記小領域を上記記録手段に記録されている検索対象画像データと類似するように変換したときの変換パラメータを抽出するパラメータ抽出工程と、
上記変換パラメータに基づいて求めた類似の度合いを示す値を集計する集計工程と、
当該集計の結果に基づき、上記所望の画像データと上記検索対象画像データとの類似性を評価する類似性評価工程と、
上記所望の画像データと上記検索対象画像データとが類似する領域を検出する類似領域検出工程と
を有することを特徴とする信号処理方法。
【請求項１１】
複数の画像データを入力し、当該複数の画像データのうち、少なくとも１つの画像データを複数の小領域に分割する分割工程と、
上記小領域を他の画像データと類似するように変換したときの変換パラメータを抽出するパラメータ抽出工程と、
上記変換パラメータに基づいて求めた類似の度合いを示す値を集計する集計工程と、
当該集計の結果に基づき、上記複数の画像データ間の類似性を評価する類似性評価工程と、
上記複数の画像データ間の類似する領域を検出する類似領域抽出工程と、
上記類似領域抽出工程で抽出された上記複数の画像データ間の類似する領域を符号化する第１の符号化工程と、
上記類似する領域以外を符号化する第２の符号化工程と
を有することを特徴とする信号処理方法。
【請求項１２】
複数の画像データを入力し、当該画像データのうち、少なくとも１つを複数の小領域に分割する分割手段と、
上記小領域を他の画像データと類似するように変換したときの変換パラメータを抽出するパラメータ抽出手段と、
上記変換パラメータに基づいて求めた類似の度合いを示す値を集計する集計手段と、
当該集計の結果に基づき、上記複数の画像データ間の類似性を評価する類似性評価手段と
を備えることを特徴とする信号処理装置。
【請求項１３】
複数の画像データを記録する記録手段と、
上記記録手段に記録されている画像データを再生する再生手段と、
再生されている上記画像データの中から所望の画像データを指定する指定手段と、
上記所望の画像データを複数の小領域に分割する分割手段と、
上記小領域を上記記録手段に記録されている検索対象画像データと類似するように変換したときの変換パラメータを抽出するパラメータ抽出手段と、
上記変換パラメータに基づいて求めた類似の度合いを示す値を集計する集計手段と、
当該集計の結果に基づき、上記所望の画像データと上記検索対象画像データとの類似性を評価する類似性評価手段と、
上記所望の画像データと上記検索対象画像データとが類似する領域を検出する類似領域検出手段と
を備えることを特徴とする信号処理装置。
【請求項１４】
複数の画像データを入力し、当該複数の画像データのうち、少なくとも１つの画像データを複数の小領域に分割する分割手段と、
上記小領域を他の画像データと類似するように変換したときの変換パラメータを抽出するパラメータ抽出手段と、
上記変換パラメータに基づいて求めた類似の度合いを示す値を集計する集計手段と、
当該集計の結果に基づき、上記複数の画像データ間の類似性を評価する類似性評価手段と、
上記複数の画像データ間の類似する領域を検出する類似領域抽出手段と、
上記類似領域抽出手段によって抽出された上記複数の画像データ間の類似する領域を符号化する第１の符号化手段と、
上記類似する領域以外を符号化する第２の符号化手段と
を備えることを特徴とする信号処理装置。
【請求項１５】
複数の画像データを入力し、当該画像データのうち、少なくとも１つを複数の小領域に分割する分割工程と、
上記小領域を他の画像データと類似するように変換したときの変換パラメータを抽出するパラメータ抽出工程と、
上記変換パラメータに基づいて求めた類似の度合いを示す値を集計する集計工程と、
当該集計の結果に基づき、上記複数の画像データ間の類似性を評価する類似性評価工程と
を有することを特徴とする信号処理プログラム。
【請求項１６】
複数の画像データを入力し、当該複数の画像データのうち、少なくとも１つを複数の小領域に分割する分割工程と、
上記小領域を他の画像データと類似するように変換したときの変換パラメータを抽出するパラメータ抽出工程と、
上記変換パラメータに基づいて求めた類似の度合いを示す値を集計する集計工程と、
当該集計の結果に基づき、上記複数の画像データ間の類似性を評価する類似性評価工程と
を有することを特徴とする信号処理プログラムが記録されたコンピュータ制御可能な記録媒体。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
このような信号処理装置は、入力された複数の画像データの少なくとも１つを複数の小領域に分割し、その小領域毎に他の画像データとの類似性を求め、それらを集計することによって複数の画像データ間の類似性を評価する。
【手続補正５】
【補正対象書類名】明細書
【補正対象項目名】００２５
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
このような信号処理プログラムは、入力された複数の画像データの少なくとも１つを複数の小領域に分割し、その小領域毎に他の画像データとの類似性を求め、それらを集計することによって複数の画像データ間の類似性を評価する。
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】変更
【補正の内容】
【００３９】
このような記録媒体に記録されている信号処理プログラムは、入力された複数の画像データの少なくとも１つを複数の小領域に分割し、その小領域毎に他の画像データとの類似性を求め、それらを集計することによって複数の画像データ間の類似性を評価する。
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】０１０６
【補正方法】削除
【補正の内容】
【手続補正２３】
【補正対象書類名】明細書
【補正対象項目名】０１０７
【補正方法】削除
【補正の内容】
【手続補正２４】
【補正対象書類名】明細書
【補正対象項目名】０１０８
【補正方法】変更
【補正の内容】
【０１０８】
このような信号処理装置は、入力された複数の画像データの少なくとも１つを複数の小領域に分割し、その小領域毎に他の画像データとの類似性を求め、それらを集計することによって複数の画像データ間の類似性を評価する。
【手続補正２５】
【補正対象書類名】明細書
【補正対象項目名】０１１４
【補正方法】削除
【補正の内容】
【手続補正２６】
【補正対象書類名】明細書
【補正対象項目名】０１１８
【補正方法】削除
【補正の内容】
【手続補正２７】
【補正対象書類名】明細書
【補正対象項目名】０１１９
【補正方法】削除
【補正の内容】
【手続補正２８】
【補正対象書類名】明細書
【補正対象項目名】０１２０
【補正方法】変更
【補正の内容】
【０１２０】
このような信号処理プログラムは、入力された複数の画像データの少なくとも１つを複数の小領域に分割し、その小領域毎に他の画像データとの類似性を求め、それらを集計することによって複数の画像データ間の類似性を評価する。
【手続補正２９】
【補正対象書類名】明細書
【補正対象項目名】０１２２
【補正方法】削除
【補正の内容】
【手続補正３０】
【補正対象書類名】明細書
【補正対象項目名】０１２３
【補正方法】削除
【補正の内容】
【手続補正３１】
【補正対象書類名】明細書
【補正対象項目名】０１２４
【補正方法】削除
【補正の内容】
【手続補正３２】
【補正対象書類名】明細書
【補正対象項目名】０１２５
【補正方法】削除
【補正の内容】
【手続補正３３】
【補正対象書類名】明細書
【補正対象項目名】０１２６
【補正方法】削除
【補正の内容】
【手続補正３４】
【補正対象書類名】明細書
【補正対象項目名】０１２７
【補正方法】削除
【補正の内容】
【手続補正３５】
【補正対象書類名】明細書
【補正対象項目名】０１２８
【補正方法】削除
【補正の内容】
【手続補正３６】
【補正対象書類名】明細書
【補正対象項目名】０１３０
【補正方法】削除
【補正の内容】
【手続補正３７】
【補正対象書類名】明細書
【補正対象項目名】０１３１
【補正方法】削除
【補正の内容】
【手続補正３８】
【補正対象書類名】明細書
【補正対象項目名】０１３２
【補正方法】変更
【補正の内容】
【０１３２】
このような記録媒体に記録されている信号処理プログラムは、入力された複数の画像データの少なくとも１つを複数の小領域に分割し、その小領域毎に他の画像データとの類似性を求め、それらを集計することによって複数の画像データ間の類似性を評価する。
【手続補正３９】
【補正対象書類名】明細書
【補正対象項目名】０１３４
【補正方法】削除
【補正の内容】
【手続補正４０】
【補正対象書類名】明細書
【補正対象項目名】０１３５
【補正方法】削除
【補正の内容】
【手続補正４１】
【補正対象書類名】明細書
【補正対象項目名】０１３６
【補正方法】削除
【補正の内容】
【手続補正４２】
【補正対象書類名】明細書
【補正対象項目名】０１３７
【補正方法】削除
【補正の内容】
【手続補正４３】
【補正対象書類名】明細書
【補正対象項目名】０１３８
【補正方法】削除
【補正の内容】
【手続補正４４】
【補正対象書類名】明細書
【補正対象項目名】０１３９
【補正方法】削除
【補正の内容】
【手続補正４５】
【補正対象書類名】明細書
【補正対象項目名】０１４０
【補正方法】削除
【補正の内容】